(57)【要約】【課題】コード変更で一旦使用不可とした元のキーを再使用可能にする。【解決手段】プラグ１に鍵孔６と外周面に貫通するセンサピン孔１１を配設し、センサピン孔１１とポケット１０に連通するスリット１２をプラグ１に配設し、プッシャバー１３をスリット１２に収容し、センサピン１４とプッシャピン１５とセンサバネ１６をセンサピン孔１１に収容する。次位キーＣ２，Ｃ３を鍵孔６に挿入したとき、チェンジピン９をコードピン孔７からドライバピン孔３に送り込み、次位キーＣ２，Ｃ３によってプラグ１をコード可変位置に回転させたとき、ドライバピン孔３からポケット１０にチェンジピン９を送り込み、リセットキーＲを挿入したとき、センサピン１４をプッシャピン１５に接近させ、リセットキーＲによってプラグ１をコード可変位置に回転させたとき、ポケット１０からドライバピン孔３にチェンジピン９を送り込む。【選択図】図３
2005226273.tif 000002
【特許請求の範囲】
【請求項１】
プラグ１を回転可能に挿入したシリンダケース２に、内周面に連通する複数のドライバピン孔３を配設し、ドライバピン孔３にドライバピン４とドライバピン４を内周面の方向に付勢するドライバピンバネ５を挿入し、プラグ１の鍵孔６よりプラグ１の外周面に貫通するコードピン孔７をドライバピン孔３に対応する位置に設け、少なくとも一つのコードピン孔７には所定のコードピン８に加えてドライバピン４に対面するチェンジピン９を挿入し、プラグ１の外周面にチェンジピン９を収納するポケット１０を形成し、
プラグ１に鍵孔６と外周面に貫通するセンサピン孔１１を配設し、センサピン孔１１とポケット１０に連通するスリット１２をプラグ１に配設し、ポケット１０の底部に位置するようにプッシャバー１３をスリット１２に収容し、内端が鍵孔６に突出するセンサピン１４と、プッシャバー１３を担持するプッシャピン１５と、プッシャピン１５をプラグ１の外周面の方向に付勢するセンサバネ１６をセンサピン孔１１に収容してある錠本体１７と、
鍵孔６に挿入されたとき、コードピン８の内端に接触してコードピン８とドライバピン４との当接点をプラグ１の外周面に移動させる高さに形成されたコードピン接触部Ａを有するとともに、センサピン１４の内端が非接触に通過する切欠１８を有する当初キーＣ１と、
鍵孔６に挿入されたとき、コードピン８の内端に接触してコードピン８とチェンジピン９との当接点をプラグ１の外周面に移動させる高さに形成されたコードピン接触部Ｂを少なくとも一つ有するとともに、センサピン１４の内端が非接触に通過する切欠１８を有する少なくとも１個の次位キーＣ２，Ｃ３と、
鍵孔６に挿入されたとき、センサピン１４の内端に接触してセンサピンバネ１６をセンサピン１４とプッシャピン１５の間で圧縮させる高さに形成されたセンサピン接触部Ｃを少なくとも一つ有するリセットキーＲとの組み合わせから成り、
次位キーＣ２，Ｃ３を鍵孔６に挿入したとき、チェンジピン９をコードピン孔７からドライバピン孔３に送り込み、次位キーＣ２，Ｃ３によってプラグ１をコード可変位置に回転させたとき、ドライバピン孔３からポケット１０にチェンジピン９を送り込み、リセットキーＲを挿入したとき、センサピン１４をプッシャピン１５に接近させ、リセットキーＲによってプラグ１をコード可変位置に回転させたとき、ポケット１０からドライバピン孔３にチェンジピン９を送り込むようにした可変コード型シリンダ錠。
【発明の詳細な説明】
【技術分野】
【０００１】
本発明は、キーコードを必要に応じて変更することができる可変コード型シリンダ錠に関する。
【背景技術】
【０００２】
ホテルの客室扉に設置されているシリンダ錠において、キーが盗難にあったり、客室利用者が不注意によって紛失した場合等においては、当該キーを不正取得した他人によって無断開錠される危険性があるため、シリンダ錠を交換する必要がある。
【０００３】
しかし、錠全体を交換するときには、錠設置者の経済的負担が大きく、交換作業の労力手間がかさみ、錠交換が完了するまでその部屋を安全に供用することが出来ない。
この改善策として、必要に応じてキーコードを変更でき、変更後は、元のキーが使用できないように構成した可変コード型シリンダ錠が提供されている（例えば特許文献１）。
【０００４】
従来の可変コード型シリンダ錠は、プラグを回転可能に挿入したシリンダケースに、内周面に連通する複数のドライバピン孔を配設し、該ドライバピン孔にドライバピンと該ドライバピンを内周面の方向に付勢するバネを挿入し、プラグの鍵孔よりプラグの外周面に貫通するコードピン孔を前記ドライバピン孔に対応する位置に設け、少なくとも一つのコードピン孔には所定のコードピンに加えて前記ドライバピンに対面するチェンジピンを挿入し、プラグの外周面にチェンジピンの収納用ポケットを形成した錠本体と、
前記鍵孔に挿入されたときに前記コードピンの内端に接触してコードピンとドライバピンの当接点を前記プラグの外周面に移動させる高さに形成された第1ピン接触部を有する複数個の常用キーと、
上記鍵孔に挿入されたときに前記コードピンの内端に接触してコードピンとチェンジピンの当接点を前記プラグの外周面に移動させる高さに形成された第２ピン接触部を少なくとも一つ有するチェンジ用キーとの組み合わせから成る。
【０００５】
この可変コード型シリンダ錠では、チェンジ用キーをプラグの鍵孔に挿入したとき、チェンジピンがコードピン孔からドライバピン孔に送り込まれ、チェンジ用キーによってプラグをコード可変位置に回転させたとき、ドライバピン孔からポケットにチェンジピンが送り込まれることによって、キーコードが変更され、対応箇所の第1ピン接触部の高さにおいて異なる別の常用キーの使用が可能となり、元の常用キーは使用できないことになる。
【０００６】
しかしながら、この可変コード型シリンダ錠では、一旦ポケットに収納されたチェンジピンは、元のコードピン孔に送り戻すことができない構造になっているため、例えば紛失していた元の常用キーが無事発見された場合等においても、当該元の常用キーを再使用することはできない。
また、この方式の可変コード型シリンダ錠では、キーコード変更前の元の常用キーとキーコード変更後の新しい常用キーとの仲介をするように断面形成されたチェンジ用キーが必要であるため、セット全体としての製作コストが嵩み、チェンジキーの管理も煩雑であった。
【０００７】
元の常用キーの再使用を可能な構成を付加した可変コード型シリンダ錠も提案されているが（例えば、特許文献２参照）。
この可変コード型シリンダ錠では、コード変更装置として、キーの先端部を残してほぼ半分に切欠された形状を有するキー本体と、端部が上記先端部に取り付けられ、ドライバピン孔に対応する位置にチェンジピンを収容する凹部が設けられ、該凹部の底部に接続孔が貫設されたアッパーリフトプレートと、一方の面に上記各接続孔に挿入される押動突起が設けられたミドルリフトプレートと、該ミドルリフトプレートとアッパーリフトプレートの間に弾装されたバネと、ミドルリフトプレートの他方の面とキー本体の間に挿入され、ミドルリフトプレートをアッパーリフトプレート方向に押動するロアーリフトプレートとから成るキーを使用する。
【０００８】
しかしながら、上記のように４個の構成部品からなるキーを使用する構成では、コード変更操作の手順が複雑であり、コード変更が円滑かつ簡便に行なうことができない。
【０００９】
【特許文献１】登録実用新案第２５６８６５３号公報
【特許文献２】実公平８−１０６３６号公報
【発明の開示】
【発明が解決しようとする課題】
【００１０】
本発明が解決しようとする課題は、簡略化された構成でありながら、コード変更によって一旦使用不可とした元のキーを、再使用できるようにすることである。
【課題を解決するための手段】
【００１１】
本発明の可変コード型シリンダ錠は、プラグ１を回転可能に挿入したシリンダケース２に、内周面に連通する複数のドライバピン孔３を配設し、ドライバピン孔３にドライバピン４とドライバピン４を内周面の方向に付勢するドライバピンバネ５を挿入し、プラグ１の鍵孔６よりプラグ１の外周面に貫通するコードピン孔７をドライバピン孔３に対応する位置に設け、少なくとも一つのコードピン孔７には所定のコードピン８に加えてドライバピン４に対面するチェンジピン９を挿入し、プラグ１の外周面にチェンジピン９を収納するポケット１０を形成し、
プラグ１に鍵孔６と外周面に貫通するセンサピン孔１１を配設し、センサピン孔１１とポケット１０に連通するスリット１２をプラグ１に配設し、ポケット１０の底部に位置するようにプッシャバー１３をスリット１２に収容し、内端が鍵孔６に突出するセンサピン１４と、プッシャバー１３を担持するプッシャピン１５と、プッシャピン１５をプラグ１の外周面の方向に付勢するセンサバネ１６をセンサピン孔１１に収容してある錠本体１７と、
鍵孔６に挿入されたとき、コードピン８の内端に接触してコードピン８とドライバピン４との当接点をプラグ１の外周面に移動させる高さに形成されたコードピン接触部Ａを有し、センサピン１４の内端が非接触に通過する切欠１８を有する当初キーＣ１と、
鍵孔６に挿入されたとき、コードピン８の内端に接触してコードピン８とチェンジピン９との当接点をプラグ１の外周面に移動させる高さに形成されたコードピン接触部Ｂを少なくとも一つ有するとともに、センサピン１４の内端が非接触に通過する切欠１８を有する少なくとも１個の次位キーＣ２，Ｃ３と、
鍵孔６に挿入されたとき、センサピン１４の内端に接触してセンサピンバネ１６をセンサピン１４とプッシャピン１５の間で圧縮させる高さに形成されたセンサピン接触部Ｃを少なくとも一つ有するリセットキーＲとの組み合わせから成り、
次位キーＣ２，Ｃ３を鍵孔６に挿入したとき、チェンジピン９をコードピン孔７からドライバピン孔３に送り込み、次位キーＣ２，Ｃ３によってプラグ１をコード可変位置に回転させたとき、ドライバピン孔３からポケット１０にチェンジピン９を送り込み、リセットキーＲを挿入したとき、センサピン１４をプッシャピン１５に接近させ、リセットキーＲによってプラグ１をコード可変位置に回転させたとき、ポケット１０からドライバピン孔３にチェンジピン９を送り込むものである。
【発明の効果】
【００１２】
本発明の可変コード型シリンダ錠では、プラグ１に鍵孔６と外周面に貫通するセンサピン孔１１を配設し、センサピン孔１１とポケット１０に連通するスリット１２をプラグ１に配設し、プッシャバー１３をスリット１２に収容し、センサピン１４とプッシャピン１５とセンサバネ１６をセンサピン孔１１に収容する。次位キーＣ２，Ｃ３を鍵孔６に挿入したとき、チェンジピン９をコードピン孔７からドライバピン孔３に送り込み、次位キーＣ２，Ｃ３によってプラグ１をコード可変位置に回転させたとき、ドライバピン孔３からポケット１０にチェンジピン９を送り込み、リセットキーＲを挿入したとき、センサピン１４をプッシャピン１５に接近させ、リセットキーＲによってプラグ１をコード可変位置に回転させたとき、ポケット１０からドライバピン孔３にチェンジピン９を送り込むようにしたので、前段のコード変更操作によって一旦使用不可としたキーであっても、簡単な操作によって再使用可能とすることができる。
【００１３】
また、原則としてキーコード変更を次に使用するキーそれ自体によって直接行なうので、従来方式におけるようなチェンジ用キーの介在は不要であり、セット全体の製作コストを節減することができ、チェンジ用キーの煩雑な管理も省ける。
【発明を実施するための最良の形態】
【００１４】
特定の1個または数個のコードピン孔７だけにコードピン８とチェンジピン９を挿入し、残りのコードピン孔７にはコードピン８だけを挿入した場合には、変更可能なキーコードの数は自ずと限定されることになる。
このような実施形態では、次位キーＣ２，Ｃ３は、コードピン８とチェンジピン９との当接点をプラグ１の外周面に移動させる高さに形成されたコードピン接触部Ｂの他に、コードピン８とドライバピン４との当接点をプラグ１の外周面に移動させる高さに形成されたコードピン接触部Ａも有する。
したがって、シリンダ錠の適用対象の要請から、変更可能なキーコードの数を最大限に増やしたい場合には、すべてのコードピン孔７にコードピン８とチェンジピン９を挿入する。各構成部品は、機械的強度の高い金属材料で作製されている。
【実施例１】
【００１５】
図１から図１０は本発明の可変コード型シリンダ錠の実施例１を示す。図１はシリンダ錠全体の施錠状態の正面図であり、筒形状のシリンダケース２に円柱状のプラグ１が回転可能に嵌挿されている。プラグ１の環状溝２０に半径方向止めピンをシリンダケース２の外部から打ち込むなどの公知方法によって、プラグ１はシリンダケース２に対して軸方向に移動不能になっている。
【００１６】
例えば、このシリンダ錠を交通信号機の制御パネル収容用ボックスの扉（図示していない）に適用した場合には、シリンダケース１は扉の取付孔に嵌められ、外周螺子部２１に嵌めた取付ナット（図示していない）によって扉に締付け固着される。プラグ１の後端軸部にはデッドボルトの駆動用カム（図示していない）が連動装備され、該デッドボルト（図示していない）はプラグ１の通常作動時の回転方向にしたがって、ボックス本体に設けた受金部（図示していない）と係合又は離脱して、扉をボックス本体に対して施錠又は解錠する。
【００１７】
実施例１では、図３に示したようにコードピン孔７はプラグ２の長さ方向に沿って前後２個配置されている。プラグ１の半径方向に形成された２個のコードピン孔７には、その全部にコードピン８とチェンジピン９が挿入されている。説明の便宜上、図４の断面図では特定の一箇所におけるピン配列を示しているが、残りの箇所においても、同様なピン配列になっている。ただし、コードピン８の長さは、各断面のピン配列において共通ではなく、多くの鍵違いを得るには、一定の長さ寸法（ピッチ間隔）を単位として相互に異ならせるのが望ましい。
【００１８】
これに対応して、キーの腹部面に凹凸部によって形成されるコードピン接触部Ａ、Ｂは、その高さ寸法において別異に形成される。チェンジピン９の長さ寸法は、各ピン配列において全部同じになっている。ポケット１０はプラグ１の長さ方向に沿って前後２個形成されている。
ドライバピン４をプラグ１の方向に移動付勢するドライバピンバネ５は、圧縮コイルバネによって構成されており、ドライバピンバネ５の一端はドライバピン４のバネ受け窪み（図示していない）に挿入され、ドライバピンバネ５の他端はシリンダケース２に固着したバネ受け板２１に当接している。
【００１９】
図３に示したようにセンサピン孔１１はプラグ１の長さ方向に沿って前後２個配置され、プラグ１の半径方向に形成されている。センサピン１４は、大径な鍔部１４ａと小径な筒部１４ｂとで構成されており、圧縮コイルバネよりなるセンサピンバネ１６の付勢によって、図５に示したように該筒部の円錐形内端が鍵孔６内に突出している。プッシャピン１５は、大径な本体部１５ａと小径な脚部１５ｂとで構成されており、該脚部１５ｂはセンサピン１４の筒部１４ｂに入り込めるように形成されている。プッシャピン１５の本体部１５ａには、直径方向に割溝１９が形成されている。
【００２０】
図６に示したようにスリット１２はプラグ１の長さ方向に沿って配置され、プラグ１の半径方向に形成されている。ポケット１０の中心とセンサピン孔１１の中心は、スリット１２の長さ方向中心線上にある。スリット１２内に半径方向に移動可能に挿入された細長いプッシャバー１３は、前後端部をプッシャピン１５の前記割溝１９に挿入されている。
【００２１】
以下、図７から図１０に基づいてコード変更の各操作過程について説明するが、ここで注意すべきことは、図７、図８、図９及び図１０の「施錠」、「キー挿入時」、「可変位置通過」及び「解錠」の各欄の左側に示した断面図において、プラグ部分の断面は図２のＣ−Ｃ線に沿った切断面を表したものであり、シリンダケース部分の断面は図２のＢ−Ｂ線に沿った切断面を表したものであることである。このように切断面の位置が食い違っているため、例えば「可変位置通過」の断面図におけるように、図面上では一見すると、ドライバピン孔３とセンサピン孔１１が相連通するように見掛けられても、実際においては両者は互いに連通するものではない。
【００２２】
図７の「施錠」欄の各断面図に示されているように、当初キーＣ１が抜き取られている施錠状態では、ドライバピン４の内端がコードピン孔７に入り込んでいるので（より詳細には図４に示す）、プラグ１はシリンダケース２に対して回転不能に拘束されている。プッシャピン１５はセンサピン孔１１内に沈み込んだ位置にあり（より詳細には図５及び図６に示す）、プッシャバー１３はその外端面がポケット１０の底部に位置している（より詳細には図６に示す）。すなわち、ポケット１０はチェンジピン９を受け入れできる態勢にある。
【００２３】
当初キーＣ１をプラグ１の鍵孔６に所定深さまで挿入すると、図７の「キー挿入時」欄の各断面図に示されているように、当初キーＣ１のコードピン接触部Ａの働きによって、ドライバピン４とチェンジピン９の当接点がプラグ１の外周面まで移動させられるため、前方に配設されたコードピン孔７と後方に配設されたコードピン孔７のいずれにおいても、ドライバピン４のみがコードピン孔７から押し出されてドライバピン孔３内に戻される。前方のチェンジピン９と後方のチェンジピン９は、各コードピン孔７内に留まったままである。
当初キーＣ１の腹部には、センサピン１４の内端と接触しないように切欠１８が形成されているため、当初キーＣ１が挿入されても、センサピン１４、プッシャピン１５及びプッシャバー１３は、最初の位置に留まったままである。
【００２４】
当初キーＣ１をコード変更位置に回転させても、図７の「可変位置通過」欄の各断面図に示されたように、プラグ１のポケット１０にはチェンジピン９が送り込まれることはない。そして、図７の「解錠」欄の各断面図に示されたように、プラグ１は当初キーＣ１によってそのまま解錠位置に回される。
実際においてはシリンダケース２が静止側であり、プラグ１が回転する側であるが、図示の便宜上、図７の各欄の断面図では、プラグ１が静止側でシリンダケース２が回転側であるように表示されている。図８以降においても同様になっている。
【００２５】
例えば当初キーＣ１で施錠した後、当初キーＣ１を紛失等したので、当初キーＣ１を使用不可にして次位キーＣ２に切り換えたい場合の操作について説明する。
図８の「施錠」欄の各断面図に示されているように、当初キーＣ１が抜き取られている施錠状態では、ドライバピン４の内端がコードピン孔７に入り込んでいるので、プラグ１はシリンダケース２に対して回転不能に拘束されている。プッシャピン１５はセンサピン孔１１内に沈み込んだ位置にあり、プッシャバー１３はその外端面がポケット１０の底部に位置している。すなわち、ポケット１０はチェンジピン９を受け入れ可能な態勢にある。
【００２６】
次位キーＣ２をプラグ１の鍵孔６に所定深さまで挿入すると、図８の「キー挿入時」欄の各断面図に示されているように、後方に配設されたコードピン孔７に対応した箇所にあるコードピン接触部Ｂは、コードピン８とチェンジピン９の当接点をプラグ１の外周面に移動させる高さに形成されたものであるため、後方に配設されたチェンジピン９は、当該コードピン接触部Ｂの働きによって、コードピン孔７からドライバピン孔３に送り込まれる。
前方に配設されたコードピン孔７に対応した箇所にあるコードピン接触部Ａは、ドライバピン４とチェンジピン９の当接点をプラグ１の外周面に移動させる高さに形成されたものであるため、前方に配設されたチェンジピン９はコードピン孔７内に留まっている。
次位キーＣ２の腹部には、センサピン１４の内端と接触しないように切欠１８が形成されているため、次位キーＣ２が挿入されても、センサピン１４、プッシャピン１５及びプッシャバー１３は、最初の位置に留まったままである。
【００２７】
次位キーＣ２をコード変更位置に回転させときには、図８の「可変位置通過」欄の各断面図に示されたように、プラグ１の後方に配設されたポケット１０には、ドライバピン４を介して作用するドライバピンバネ５の付勢によってチェンジピン９が送り込まれる。他方、前方に配設されたポケット１０については、これに対面するドライバピン孔３内に前段階においてチェンジピン９が送り込まれていないのであるから、チェンジピン９が送り込まれることはない。
そして、図８の「解錠」欄の各断面図に示されたように、プラグ１は後方のポケット１０にチェンジピン９を収容した状態で、次位キーＣ２によって解錠位置に回される。
コード変更に使用した次位キーＣ２は、これ以降、常用のキーとしてそのまま使用される。
【００２８】
例えば次位キーＣ２で施錠した後、次位キーＣ２を紛失等したので、次位キーＣ２を使用不可にして別の次位キーＣ３に切り換えたい場合の操作について説明する。
図９の「施錠」欄の各断面図に示されているように、次位キーＣ２が抜き取られている施錠状態では、ドライバピン４の内端がコードピン孔７に入り込んでいるので、プラグ１はシリンダケース２に対して回転不能に拘束されている。プッシャピン１５はセンサピン孔１１内に沈み込んだ位置にあり、プッシャバー１３はその外端面がポケット１０の底部に位置している。後方に配設されたポケット１０には、チェンジピン９が既に収納されている。
【００２９】
次位キーＣ３をプラグ１の鍵孔６に所定深さまで挿入すると、図９の「キー挿入時」欄の各断面図に示されているように、前方に配設されたコードピン孔７に対応した箇所にあるコードピン接触部Ｂは、コードピン８とチェンジピン９の当接点をプラグ１の外周面に移動させる高さに形成されたものであるため、前方に配設されたチェンジピン９は、当該コードピン接触部Ｂの働きによって、コードピン孔７からドライバピン孔３に送り込まれる。
後方に配設されたコードピン孔７に対応した箇所にあるコードピン接触部Ｂは、コードピン８とチェンジピン９の当接点をプラグ１の外周面に移動させる高さに形成されたものであるため、後方に配設されたチェンジピン９は、ドライバピン孔３からコードピン孔７に逆戻りすることがない。
次位キーＣ３の腹部には、センサピン１４の内端と接触しないように切欠１８が形成されているため、次位キーＣ３が挿入されても、センサピン１４、プッシャピン１５及びプッシャバー１３は、最初の位置に留まったままである。
【００３０】
次位キーＣ３をコード変更位置に回転させときには、図９の「可変位置通過」欄の各断面図に示されたように、プラグ１の前方に配設されたポケット１０には、ドライバピン４を介して作用するドライバピンバネ５の付勢によってチェンジピン９が送り込まれる。
そして、図９の「解錠」欄の各断面図に示されたように、プラグ１は前方のポケット１０と後方のポケット１０の双方にチェンジピン９を収容した状態で、次位キーＣ３によって解錠位置に回される。
コード変更に使用した次位キーＣ３は、これ以降、常用のキーとしてそのまま使用される。
【００３１】
例えば次位キーＣ３で施錠した後、次位キーＣ３を紛失等したが、当初キーＣ１が無事発見されたので、次位キーＣ３を使用不可にして当初キーＣ１に切り換えたい場合の操作について説明する。
図１０の「施錠」欄の各断面図に示されているように、次位キーＣ３が抜き取られている施錠状態では、ドライバピン４の内端がコードピン孔７に入り込んでいるので、プラグ１はシリンダケース２に対して回転不能に拘束されている。プッシャピン１５はセンサピン孔１１内に沈み込んだ位置にあり、プッシャバー１３はその外端面がポケット１０の底部に位置している。前方に配設されたポケット１０と後方に配設されたポケット１０の双方には、チェンジピン９が既に収納されている。
【００３２】
リセットキーＲをプラグ１の鍵孔６に所定深さまで挿入すると、図１０の「キー挿入時」欄の各断面図に示されているように、前方に配設されたコードピン孔７に対応した箇所にあるコードピン接触部Ｂは、コードピン８とチェンジピン９の当接点をプラグ１の外周面に移動させる高さに形成されたものであるため、前方に配設されたチェンジピン９は、ドライバピン孔３からコードピン孔７に逆戻りすることがない。
後方に配設されたコードピン孔７に対応した箇所にあるコードピン接触部Ｂも、コードピン８とチェンジピン９の当接点をプラグ１の外周面に移動させる高さに形成されたものであるため、後方に配設されたチェンジピン９も、ドライバピン孔３からコードピン孔７に逆戻りすることがない。
【００３３】
リセットキーＲの腹部には前記した切欠１８が存在せず、センサピン１４の内端に接触してセンサピンバネ１６をセンサピン１４とプッシャピン１５の間で圧縮させる高さに形成されたセンサピン接触部Ｃが存在しているから、前方に配設されたポケット１０内のチェンジピン９と、後方に配設されたポケット１０内のチェンジピン９は、プッシャバー１３とプッシャピン１５を介して作用するセンサピンバネ１６の付勢によって、シリンダケース２の内周面に押し付けられている。このとき、プッシャバー１３は、プッシャピン１５の割溝１９とプラグ１のスリット１２に沿ってプラグ１の外周面方向にスライドし、チェンジピン９を押圧する。
【００３４】
リセットキーＲをコード変更位置に回転させときには、図１０の「可変位置通過」欄の各断面図に示されたように、前方に配設されたポケット１０内のチェンジピン９と、後方に配設されたポケット１０内のチェンジピン９が、前方に配設されたドライバピン孔３と、後方に配設されたドライバピン孔３に、それぞれ送り込まれる。センサピンバネ１６は、ドライバピンバネ５よりもバネ力が強く設定されている。
そして、図１０の「解錠」欄の各断面図に示されたように、プラグ１は前方のポケット１０と後方のポケット１０の双方にチェンジピン９が収容されていない状態で、リセットキーＲによって解錠位置に回される。
コード変更に使用したリセットキーＲをプラグ１の鍵孔６から抜き取ると、錠本体１７は当初キーＣ１が使用可能な状態に設定されている。
【００３５】
実施例１のようにプラグ１のコードピン孔７を前後２個配設した場合には、常用キーとして当初キーＣ１を使用する場合を第１モードと定義し、常用キーとして次位キーＣ２を使用する場合を第２モードと定義し、常用キーとして次位キーＣ３を使用する場合を第３モードと定義することができる。
そして、第１モードから第２モードにコード変更する場合には、既に述べたように次位キーＣ２を使用して変更操作する。また、第２モードから第３モードにコード変更する場合には、既に述べたように次位キーＣ３を使用して変更操作する。さらにまた、第３モードから第１モードにコード変更する場合には、既に述べたようにリセットキーＲを使用して変更操作するのである。
【００３６】
この他、第１モードから第３モードにコード変更する場合には、次位キーＣ３を使用して変更操作する。また、第２モードから第１モードにコード変更する場合には、リセットキーＲを使用して変更操作する。さらにまた、第３モードから第２モードにコード変更する場合には、リセットキーＲと次位キーＣ２を順次使用して変更操作することになる。
【００３７】
当初キーＣ１とリセットキーＲは１本ずつ用意されるが、次位キーとしては実施例１のようにはＣ２，Ｃ３の２本に限定されることはなく、ドライバピン孔３及びコードピン孔７と、これらに収容されるピン配列数を増加することによって、より多数本にすることもできる。
【実施例２】
【００３８】
図１１に示した実施例２では、プラグ１には鍵孔６の反対側部位に別系列のコードピン孔３０が形成され、これに対応してシリンダケース２にも別系列のドライバピン孔３１が形成されている。施錠位置において相連通するコードピン孔３０とドライバピン孔３１には、別系列のコードピン３２とドライバピン３３及びドライバピンバネ３４が収容されている。これに対応して、キーにも反対側の腹部に別系列のコードピン接触部が形成される。
これら別系列のピン配列を複数設け、各コードピン３２の長さに多段階の差を設定することによって、上記した当初キーＣ１，次位キーＣ２，Ｃ３のそれぞれの下に非常に多数の鍵違い（キーコードが互いに相違するキー群の集合）を得ることができる。
【図面の簡単な説明】
【００３９】
【図１】本発明の実施例１に係る可変コード型シリンダ錠の施錠状態の正面である。
【図２】図１のＡ−Ａ線断面図である。
【図３】図１の可変コード型シリンダ錠の要部分解斜視図である。
【図４】図２のＢ−Ｂ線断面図である。
【図５】図２のＣ−Ｃ線断面図である。
【図６】図５のＤ−Ｄ線断面図である。
【図７】図１の可変コード型シリンダ錠に当初キーＣ１を使用する場合の各過程における断面図を示している。
【図８】当初キーＣ１に代えて次位キーＣ２を使用するために、次位キーＣ２でコード変更する場合の各過程における断面図を示している。
【図９】次位キーＣ２に代えて別の次位キーＣ３を使用するために、次位キーＣ３でコード変更する場合の各過程における断面図を示している。
【図１０】次位キーＣ３に代えて当初キーＣ１を使用するために、リセットキーＲでコード変更する場合の各過程における断面図を示している。
【図１１】本発明の実施例２に係る可変コード型シリンダ錠の図４に対応した断面図である。
【符号の説明】
【００４０】
１  プラグ
２  シリンダケース
３  ドライバピン孔
４  ドライバピン
５  ドライバピンバネ
６  鍵孔
７  コードピン孔
８  コードピン
９  チェンジピン
１０  ポケット
１１  センサピン孔
１２  スリット
１３  プッシャバー
１４  センサピン
１５  プッシャピン
１６  センサピンバネ
１７  錠本体
１８  切欠
１９  割溝
Ｃ１  当初キー
Ｃ２  次位キー
Ｃ３  別の次位キー
Ｒ  リセットキー
Ａ  コードピン接触部
Ｂ  センサピン接触部
【図１】
2005226273.tif 000003
【図２】
2005226273.tif 000004
【図３】
2005226273.tif 000005
【図４】
2005226273.tif 000006
【図５】
2005226273.tif 000007
【図６】
2005226273.tif 000008
【図７】
2005226273.tif 000009
【図８】
2005226273.tif 000010
【図９】
2005226273.tif 000011
【図１０】
2005226273.tif 000012
【図１１】
2005226273.tif 000013